(57)【特許請求の範囲】
【請求項１】
ａ．温水式床暖房装置において、フローリング床材の下に敷設して用いられる放熱ユニットであって、この放熱ユニットは、
ｂ．ヘッダーを組み付けたヘッダーパネル及び折り返しパネルと、このヘッダーパネル及び折り返しパネルとの間に間隔を空けて対向するように配置されたＵターンパネルから成ると共に前記ヘッダーパネルと折り返しパネル及びＵターンパネル間に配管されている温水パイプは、露出した状態で対向する各パネル間を結ぶように配管されていること、
ｃ．温水パイプを配管した前記各パネルの上面にはアルミ箔製の放熱シートが貼り合わされていると共にこの放熱シートには、前記露出している温水パイプが各パネル内に入った所定の区間だけ温水パイプの浮上を許容するパイプ浮上手段が形成されていること、
ｄ．前記放熱ユニットを既存のフローリング床又は木質下地上に敷設した上に施工される新規のフローリング床材の下面には、前記浮上した部分の温水パイプを収容する温水パイプ収容溝が形成されていること、
ｅ．を特徴とする温水式床暖房装置。
【請求項２】
前記露出した部分の温水パイプには、それぞれ放熱手段が取り付けられていることを特徴とする請求項１に記載の温水式床暖房装置。
【請求項３】
前記フローリング床材に形成した温水パイプ収容溝又はこの溝を含むフローリング床材の裏面の一部又は全部にはアルミ箔製の放熱シートが張り付けられていることを特徴とする請求項１に記載の温水式床暖房装置。
【請求項４】
前記各パネルに形成されたパイプ浮上手段として、各パネルの表面に張り付けられた放熱シートにおいて、温水パイプが各パネルに侵入する部分に温水パイプの浮上を許容するスリット又はコ字状の切り欠き又は放熱シートを張り付けない領域から成るパイプ浮上手段が形成されていることを特徴とする請求項１に記載の温水式床暖房装置。
【請求項５】
前記各パネルは、発泡樹脂板又は木質板又は発泡樹脂板と木質板の併合板で構成されていることを特徴とする請求項１に記載の温水式床暖房装置。
【請求項６】
前記フローリング床材の周囲の端面には、雄実と雌実又は段違いの係合手段が形成されていて、フローリング床材の施工に際してはこの係合手段でフローリング床材を突き合わせ、釘打ちはこの係合手段部において行うように構成されていることを特徴とする請求項１に記載の温水式床暖房装置。
【請求項７】
前記フローリング床材の裏面には、前記温水パイプの露出部のピッチに合せたピッチで温水パイプ収容溝が横又は縦方向に形成されていることを特徴とする請求項１に記載の温水式床暖房装置。
【請求項８】
ａ．請求項１に記載の温水式床暖房装置をリフォームのために既存のフローリング床上に施工する場合には、
ｂ．前記ヘッダーパネルと折り返しパネル及びＵターンパネルが位置する部分の既存のフローリング床を各パネルの大きさに合わせてカットすることによりこのカットした部分に木質下地を露出させる、
ｃ．次に、カットして露出した前記木質下地上に前記各パネルをそれぞれ落し込んで既存のフローリング床面と各パネルの上面を面一に固定すると共に、この時各パネルのパイプ浮上手段の作用で既存のフローリング床の上に温水パイプの露出部分を浮上させる、
ｄ．次に、新規のフローリング床材の前記収容溝を浮上した部分の温水パイプに合わせて上方から押え込むことにより温水パイプを収容溝内に収容させて新規のフローリング床材を敷設し、その上で新規のフローリング床材を既存のフローリング床及び各パネルに釘又は接着剤を用いて固定する、
ｅ．ことを特徴とする温水式床暖房装置の施工法。
【請求項９】
ａ．請求項１に記載の放熱ユニットを用いて木質下地が施工されている部屋に床暖房装置をリフォーム又は新設で施工する場合には、
ｂ．前記木質下地を各パネルの大きさに合わせてカットするかあらかじめ木質下地をカットしておく、
ｃ．次に、このカットした部分に前記放熱ユニットの各パネルを落し込んで木質下地の上面と各パネルの上面を面一に固定することにより、各パネル間の露出した部分の温水パイプを木質下地の上面に浮上させる、
ｄ．次に、新規のフローリング床材の前記収容溝を浮上した部分の温水パイプに合わせて上方から押え込むことにより温水パイプを収容溝内に収容させてフローリング床材を施工し、その上でフローリング床材を木質下地及び各パネルに釘又は接着剤で固定する、
ｅ．ことを特徴とする温水式床暖房装置の施工法。
【請求項１０】
前記木質下地をカットして出来た開口部分に露出した根太材の上に各パネルを載せ、釘又は接着剤を用いて各パネルを根太材に固定する請求項９に記載の温水式床暖房装置の施工法。
【請求項１１】
前記各パネルには木質合板が用いられていることを特徴とする請求項９に記載の温水式床暖房装置の施工法。
【発明の詳細な説明】
【技術分野】
【０００１】
本発明は、温水式床暖房装置の施工法及びその装置に関し、更に詳しくは、温水式床暖房装置の無い部屋を温水式床暖房装置付にリフォームしたり、温水式床暖房装置を新規に施工する施工法及びその装置に関する。
【背景技術】
【０００２】
一般の住宅に設備されている温水式床暖房装置とは、温水パイプを蛇行配管した発泡ポリスチレン製の温水マットを木質下地上に敷設し、この温水マットの周囲と壁際の空間部には温水マットの高さに合わせたダミー合板を施工し、その上でフローリング床材に代表される床材を部屋の床全体に施工し、前記温水マットの前記温水パイプ内に熱源機で発生した約６０℃の温水を循環させることにより床を温め、かつ室内を暖房する内容である。
【０００３】
そして、前記温水マットには、床材を支持するための小根太と称される木製の支持材を一定の間隔で挿入しておき、この支持材上に例えば床材としてのフローリング床材を釘打ちで固定するタイプのものと、前記小根太を挿入しないで温水マットの上に直接カーペット等を施工するネダレスタイプのものとがある。
【０００４】
また、従来の温水マットの場合、温水パイプを配管した表面には、放熱率の向上と均一化のためにアルミニュウムシート（以下「放熱シート」という。）が全面に貼り付けられている。
【０００５】
このような構成の温水マットの場合、その厚さは通常１２ｍｍあり、この温水マットを戸建て住宅の場合は木質下地の上に敷き、集合住宅の場合にはスラブ上に直接敷き、更にこの温水マットとダミー合板の上に通常は１２ｍｍのフローリング床材を施工していることから、従来の温水式床暖房装置を施工する場合には、木質下地又はスラブ上に合計で約２４ｍｍのスペース（高さ）が必要となっている。
【０００６】
また、前記木質下地及びダミー合板並びにフローリング床材の施工は内装工事の一環である大工工事となっており、温水マットの施工業者が行う訳ではない。
【０００７】
このように、温水式床暖房装置の施工に際しては、床の高さの制約と、大工工事の問題があるため、例えば既存のフローリング床を温水式床暖房装置付のフローリング床にリフォームする場合には、一旦既存のフローリング床材を剥しとって木質下地を露出させ、この上に温水マットの施工業者が温水マットを敷設し、次に大工工事でダミー合板とフローリング床材を施工していることから、リフォームで温水式床暖房装置を取り付ける場合には、手間と工期及びコストが嵩むという問題がある。
【０００８】
この問題の一つの解決法としては、既存のフローリング床には手をかけず、この既存のフローリング床の上に直接温水マットを敷き更にこの上に新規にフローリング床を施工する方法がある。
【０００９】
しかし、この方法の場合、既存のフローリング床の上に１２ｍｍ厚の温水マットを敷き、更にこの上に１２ｍｍ厚のフローリング床材を施工するため、床の高さは従来より２４ｍｍ高となり、この高さでは殆どの場合ドアーの開閉に支障を来し、採用できない場合が多い。
【００１０】
そこで、温水マット及びフローリング床材を１２ｍｍ以下の、それぞれ例えば７ｍｍ厚に成形したものを用いる提案もあるが、このように薄肉化すると床強度が低下してしまい、実用的には問題がある。このようなことから、従来のリフォーム工事にあっては、既存のフローリング床材を剥しとり、既存の木質下地を露出させ、この上に温水マットを敷き、この上に新規にフローリング床材を施工することにより、既存のフローリング床よりも１２ｍｍ高くなる程度に抑える工法を採用している。
【００１１】
しかし、この工法の場合、リフォームコストが嵩むという問題がある。
【００１２】
このような要求を満す一つのアイデアとして、従来の温水マットを廃し、温水パイプを基材シート上に配管したものをフローリング床の上に敷き、この上に配管収容溝を裏面に形成したフローリング床材を施工する内容のものが特許文献１〜４に紹介されている。
【００１３】
この施工によると、既存のフローリング床よりも１２ｍｍ床が高くなるだけである。
【００１４】
しかし、この公知例の場合、次のような問題がある。
１．温水パイプは基材シート上に蛇行配管され、この上にフローリング床材の裏面に形成した逆Ｕ字状の配管収容溝内に収容するため、温水パイプと溝との間において位置合わせを行う必要があり、これに手間がかかると共に専門業者の施工となる。
【００１５】
２．上記位置合わせに際し、フローリング床材側の配管収容溝には自由度がないことから、一旦固定した基材シート上の温水パイプを無理に変位させてフローリング床材側の配管溝内に収容するため、温水パイプに無理な応力が発生し、耐久性に悪影響が出る。
【００１６】
３．フローリング床材には雄実と雌実が形成されていて、この雄実と雌実を係合し、反対側の雄実を用いて釘留めして順次フロア材を固定しているため、（特許文献１段落［００２３］）フロア材の施工に手間と時間がかかり、釘打ち箇所が指定されているため釘打ちリスクの問題がある。
【００１７】
４．フローリング床材は、温水パイプがＵターンする部分の配管形態が多様なため、この形態ごとに多種類を用意する必要があり、製作及び施工並びに保管等にコストがかかる。
【００１８】
５．基材シートに対する温水パイプの蛇行配管には精度が要求されるため、製作に手間とコストがかかる。
【００１９】
６．ヘッダーを基材シート上に設けておくことができないため、別途ヘッダーの取付工事が必要となり、手間とコストがかかる。
【００２０】
７．フローリング床材の裏面に形成する温水パイプの収容溝は、ある程度余裕を持たせるために幅広く形成する必要があるため、強度が低下する。
【００２１】
８．基材シート自体は柔軟性を有するが、温水パイプは固定されているため、運搬や格納時に折り畳みはできず、仮に丸めたとしても温水パイプに応力が発生し、座屈などの心配があることから、運搬や格納を考えると小型の基材シートを組み合わせて使用しなければならず、施工に手間がかかり、また温水パイプのジョイント部分の数が増してこの分水漏れリスクが増大する。
【先行技術文献】
【特許文献】
【００２２】
【特許文献１】特開２００４−２５７０７９号公報
【特許文献２】特開２００３−２１３４５号公報
【特許文献３】特開２００５−１８８８９号公報
【特許文献４】特開２００５−２８２９３１号公報
【発明の概要】
【発明が解決しようとする課題】
【００２３】
本発明は叙上の如き問題点に鑑みて提供されるものであって、第１の課題は、既存のフローリング床の一部を繰り抜きカットするだけでこの既存のフローリグ床の上に直接温水式暖房装置を施工し、更に新規にフローリング床材を施工しても床の高さが１２ｍｍ増すだけの施工法とその装置を提供することである。
【００２４】
更に、第２の課題は、木質下地が施工されている部屋の場合において温水式床暖房装置付のフローリング床にリフォームする場合、あるいは新設する場合に、既存の床と同じ高さの床に施工することができる施工法とその装置を提供することである。
【００２５】
更に、第３の課題は、施工に手間とコストがかからず、公知文献で指摘した専門業者を必要とせず、特にリフォームに適した温水式床暖房装置の施工法とその装置を提供することである。
【００２６】
更に、第４の課題は、温水パイプに無理がかからず、フローリング床の施工が簡単で釘打ちリスクの無い温水式床暖房装置の施工法とその装置を提供することである。
【００２７】
更に、第５の課題は、同一の現場で使用するフローリング床材を一種類で済むようにして施工性を高め、かつコストの低減を可能にする温水式床暖房装置の施工法とその装置を提供することである。
【００２８】
更に、第６の課題は、あらかじめヘッダーをパネル内に収納して施工性を高め、かつコストの低減を可能にする温水式床暖房装置の施工法とその装置を提供することである。
【課題を解決するための手段】
【００２９】
上記課題を解決するため、請求項１に記載の発明では、ａ．温水式床暖房装置において、フローリング床材の下に敷設して用いられる放熱ユニットであって、この放熱ユニットは、
ｂ．ヘッダーを組み付けたヘッダーパネル及び折り返しパネルと、このヘッダーパネル及び折り返しパネルとの間に間隔を空けて対向するように配置されたＵターンパネルから成ると共に前記ヘッダーパネルと折り返しパネル及びＵターンパネル間に配管されている温水パイプは、露出した状態で対向する各パネル間を結ぶように配管されていること、
ｃ．温水パイプを配管した前記各パネルの上面にはアルミ箔製の放熱シートが貼り合わされていると共にこの放熱シートには、前記露出している温水パイプが各パネル内に入った所定の区間だけ温水パイプの浮上を許容するパイプ浮上手段が形成されていること、
ｄ．前記放熱ユニットを既存のフローリング床又は木質下地上に敷設した上に施工される新規のフローリング床材の下面には、前記浮上した部分の温水パイプを収容する温水パイプ収容溝が形成されていること、を特徴とするものである。
【００３０】
この発明によると、既存のフローリング床の上に温水式床暖房装置付のフローリング床に仕上げたとしても約１２ｍｍ床面が高くなるだけで済む。また、ヘッダーをヘッダーパネル内にあらかじめ組み付けておくことができる。
【００３１】
更に、請求項２に記載の発明では、前記露出した部分の温水パイプには、それぞれ放熱手段が取り付けられていることを特徴とするものである。
【００３２】
この発明により、放熱効率を向上させることができる。
【００３３】
更に、請求項３に記載の発明では、前記フローリング床材に形成した温水パイプ収容溝又はこの溝を含むフローリング床材の裏面の一部又は全部にはアルミ箔製の放熱シートが張り付けられていることを特徴とするものである。
【００３４】
この発明によると、温水パイプに放熱フィンを取り付ける場合に比較してコストの低減が可能である。
【００３５】
更に、請求項４に記載の発明では、前記各パネルに形成されたパイプ浮上手段として、各パネルの表面に張り付けられた放熱シートにおいて、温水パイプが各パネルに侵入する部分に温水パイプの浮上を許容するスリット又はコ字状の切り欠き又は放熱シートを張り付けない領域のパイプ浮上手段が形成されていることを特徴とするものである。
【００３６】
この発明によると、露出した部分の温水パイプに下方から力がかかると、スムーズに温水パイプが浮上する。
【００３７】
更に、請求項５に記載の発明では、前記各パネルは、発泡樹脂板又は木質板又は発泡樹脂板と木質板の併合板で構成されていることを特徴とするものである。
【００３８】
更に、請求項６に記載の発明では、前記フローリング床材の周囲の端面には、雄実と雌実又は段違いの係合手段が形成されていて、フローリング床材の施工に際してはこの係合手段でフローリング床材を突き合わせ、釘打ちはこの係合手段部において行うように構成されていることを特徴とするものである。
【００３９】
更に、請求項７に記載の発明では、前記フローリング床材の裏面には、前記温水パイプの露出部のピッチに合せたピッチで温水パイプ収容溝が横又は縦方向に形成されていることを特徴とするものである。
【００４０】
この発明によると、フローリング床材は２種類で済み、施工が簡単であると共に製作コストの低減及び商品管理がしやすくなる。
【００４１】
更に、請求項８に記載の発明では、ａ．請求項１に記載の温水式床暖房装置をリフォームのために既存のフローリング床上に施工する場合には、
ｂ．前記ヘッダーパネルと折り返しパネル及びＵターンパネルが位置する部分の既存のフローリング床を各パネルの大きさに合わせてカットすることによりこのカットした部分に木質下地を露出させる、
ｃ．次に、カットして露出した前記木質下地上に前記各パネルをそれぞれ落し込んで既存のフローリング床面と各パネルの上面を面一に固定すると共に、この時各パネルのパイプ浮上手段の作用で既存のフローリング床の上に温水パイプの露出部分を浮上させる、
ｄ．次に、新規のフローリング床材の前記収容溝を浮上した部分の温水パイプに合わせて上方から押え込むことにより温水パイプを収容溝内に収容させて新規のフローリング床材を敷設し、その上で新規のフローリング床材を既存のフローリング床及び各パネルに釘又は接着剤を用いて固定する、ことを特徴とするものである。
【００４２】
この発明によると既存のフローリング床の上に温水式床暖房装置と新規のフローリング床を施工しても床は約１２ｍｍ高くなるだけのため、多くの場合ドアーの開閉に支障を来さない。
【００４３】
更に、請求項９に記載の発明では、ａ．請求項１に記載の放熱ユニットを用いて木質下地が施工されている部屋に床暖房装置をリフォーム又は新設で施工する場合には、
ｂ．前記木質下地を各パネルの大きさに合わせてカットするかあらかじめ木質下地をカットしておく、
ｃ．次に、このカットした部分に前記放熱ユニットの各パネルを落し込んで木質下地の上面と各パネルの上面を面一に固定することにより、各パネル間の露出した部分の温水パイプを木質下地の上面に浮上させる、
ｄ．次に、新規のフローリング床材の前記収容溝を浮上した部分の温水パイプに合わせて上方から押え込むことにより温水パイプを収容溝内に収容させてフローリング床材を施工し、その上でフローリング床材を木質下地及び各パネルに釘又は接着剤で固定する、ことを特徴とするものである。
【００４４】
この発明によると、温水式床暖房装置を施工しても床の高さを全く増さないで済む。
【００４５】
更に、請求項１０に記載の発明では、前記木質下地をカットして出来た開口部分に露出した根太材の上に各パネルを載せ、釘又は接着剤を用いて各パネルを根太材に固定することを特徴とするものである。
【００４６】
この発明によると、各パネル部分における床強度の低下を防ぐことができる。
【００４７】
更に、請求項１１に記載の発明では、前記各パネルには木質合板が用いられていることを特徴とするものである。
【発明の効果】
【００４８】
請求項８に記載した発明によると、既存のフローリング床の一部を繰り抜きカットするだけで床暖房装置付のフローリング床にリフォームすることができるため、床の高さは約１２ｍｍ高くなるだけであると共に工事が簡単となり、コストもかからない。
【００４９】
また、請求項９に記載した発明によると、従前のフローリング床と同一の高さに施工することができるため、床の高さに関係する障害は一切なくなる。
【００５０】
また、請求項７に記載の発明によると、フローリング床材は溝方向の違う２種類だけで済み、フローリング床材の加工コスト及び多種類を用意しておくための製作コスト等の低減と商品管理がしやすくなる。
【００５１】
また、本発明は、既存のフローリング床の上に施工するため、床強度を高めることができる。
【００５２】
また、ダミー合板及びこの施工工事を必要としないため、大幅なコストダウンを図ることができる。
【図面の簡単な説明】
【００５３】
【図１】本発明に係る放熱ユニットの説明図。
【図２】パネルにおける温水パイプの出入り部分の説明図。
【図３】パネルからの出入り部分で温水パイプが浮上した状態の説明図。
【図４】温水パイプに設けた放熱フィンの説明図。
【図５】長手方向に対して直角方向に温水パイプ収容溝を形成し、実の図示を省略したフローリング床材の裏面の説明図。
【図６】フローリング床材の断面図。
【図７】既存のフローリング床をカットした状態の説明図。
【図８】放熱ユニットをカットした床の上に組み付ける直前の説明図。
【図９】放熱ユニットの組み付けが終了した状態の説明図。
【図１０】Ａ−Ａ’線断面図。
【図１１】放熱ユニットの上に新規のフローリング床材を組み付ける直前の説明図。
【図１２】フローリング床材の組み付けが終了した状態の説明図。
【図１３】温水パイプが既存のフローリング床の上に乗り上げた状態の説明図。
【図１４】床暖房装置の施工終了状態の説明図。
【図１５】放熱ユニットを一部重ね合わせた状態の説明図。
【図１６】施工面積の大きい放熱ユニットの説明図。
【発明を実施するための形態】
【００５４】
以下、本発明に係る温水式床暖房装置の施工法とその装置について、その実施の形態を添付の図に基づいて詳細に説明する。
【実施形態１】
【００５５】
本実施形態１は、請求項１乃至７に記載した温水式床暖房装置に関するもので、図１〜図６に基づいてその構造を詳細に説明する。
【００５６】
図１は放熱ユニットを示し、この放熱ユニット１は、ヘッダー２を組み付けたヘッダーパネル３と、このヘッダーパネル３から離れた位置に対向するようにして配置されたＵターンパネル４と、ヘッダーパネル３に並べ、Ｕターンパネル４に対向するようにして配置された折り返しパネル５から成り、ヘッダー２から延長された温水パイプ６はヘッダーパネル３とＵターンパネル４及びこのＵターンパネル４と折り返しパネル５間においては露出して平行に配管されていると共にこの露出部分の温水パイプ６には、図２乃至図４に示すようにアルミ箔製のフィン７と固定テープ８が取り付けられている。
【００５７】
本実施形態１では、温水パイプ６にフィン７を取り付けているが、後述するフローリング床材１１側に形成した収容溝１２内とこの周囲の一部又は収容溝１２を含むフローリング床材１１の裏面全体に放熱シートを貼り付けて前記フィン７に換えるように構成しても良い。なお、フィン７の厚さは任意であるが薄すぎると製作が面倒になるため、フィンとしての保形性を確保するための強度（厚さ）は必要である。
【００５８】
前記ヘッダーパネル３とＵターンパネル４、折り返しパネル５においては、温水パイプ６のパイプ収容溝３ａ、４ａ、５ａが形成されていると共に上面にはアルミ箔製の放熱シート９が貼り付けられている。
【００５９】
そして、この放熱シート９において、各パネル３、４、５から温水パイプ６が露出する端面３ｂ、４ｂ、５ｂの部分には、図２に示すように温水パイプ６の両サイドに沿ってカットした１０〜５０ｍｍ長さのスリット（浮上手段）１０が形成されていて、図３に示すように温水パイプ６の露出部に浮上の力が作用すると、温水パイプ６は放熱シート９にスリット１０が設けてあるため、各パネル３、４、５の端面３ｂ、４ｂ、５ｂのところで斜めに変形しながら浮上する。但し、上記スリット１０の長さは施工条件に合わせて１０〜５０ｍｍ以上又は以下に形成される場合もある。
【００６０】
なお、温水パイプ６の浮上を助長するため、端面３ｂ、４ｂ、５ｂから少し入った位置までの収容溝１２の横幅を他より少し幅広に形成して温水パイプ６の自由度を高めるようにしても良い。
なお、スリット１０は、本実施形態１では平行に２本形成されているが、温水パイプ６の中心上に１本形成するだけでも同じように温水パイプ６の変形を可能にするので、実施形態としてはこの１本のスリット１０を形成する場合も含まれる。
【００６１】
また、前記スリット１０ではなくコ字状にカットするか、スリット１０の部分においては、横一列に一定の幅で温水パイプ６と各パネル３、４、５が露出するように放熱シート９を帯状にカットしてパイプ浮上手段を形成しても良い。
【００６２】
次に、上記放熱ユニット１の上に施工されるフローリング床材の構成を図５〜図６に示す。この図５、図６において、フローリング床材１１は、その裏面に前記放熱ユニット１の露出した部分の温水パイプ６が収容される温水パイプ収容溝１２が温水パイプ６のピッチと同一ピッチで形成されている。
【００６３】
本実施形態１において、フローリング床材１１に形成された温水パイプ収容溝１２は図５、図６に示すようにフローリング床材１１を横断する方向に形成されているが、長手方向に形成し、露出した部分の温水パイプ６と平行となるように施工しても良い。
【００６４】
本実施形態１において用いられている床材としてフローリング床材１１の場合を説明したが、その他の床暖房用床材としてはコルクタイル等の床仕上げ材の場合もあり、これらも同様に裏面に温水パイプ収容溝１２が形成される。
【００６５】
なお、本実施形態１では、図１に示したパネルと配管構成の放熱ユニット１を説明したが、敷設面積が広い部屋用としては図１６に示すような形態のパネルと配管構成の放熱ユニット１を考えることもでき、この形態については特に限定されない。
【００６６】
図１５はヘッダーパネル３と折り返しパネル５側を重ねることにより、運送とか格納時に便利なように放熱ユニットを折り畳んだ状態の一例の説明図である。
【実施形態２】
【００６７】
本実施形態２は、請求項８に記した発明の実施形態（リフォーム）（施工法）であって、図７〜図１４に基づいて詳細に説明する。
【００６８】
図７は既存のフローリング床２０の上に床暖房装置付のフローリング床を施工する場合である。この場合には図７に示すように先ずカッター（図示せず）を用いて既存のフローリング床２０をカットして木質下地２２のところまで切り込み２１を入れることにより、ヘッダーパネル３、Ｕターンパネル４、折り返しパネル５を落し込んで嵌合できるカット部２３を形成する。
【００６９】
次に図８から図９に示すようにこのカット部２３に前記放熱ユニット１のヘッダーパネル３、Ｕターンパネル４、折り返しパネル５を落し込んで既存のフローリング床２０の上面と各パネル３、４、５の上面を面一に固定する。この時図９、図１０に示すように既存のフローリング床２０の上面に温水パイプ６の露出部分６ａが載るようなかたちとなって露出部分６ａの温水パイプ６が図１３に示すように浮上することにより露出した部分の温水パイプ６と各パネル３、４、５の上面との間に段差が生じる。
【００７０】
次に、図１１に示すように、下面に配管溝１２を形成した新規のフローリング床材１１の前記配管溝１２を浮上した部分の温水パイプ６に合わせて上方から押し込むことにより、図１２〜図１３に示すように温水パイプ６を収容溝１２内に収容し、併せて新規のフローリング床材１１を前記各パネル３、４、５の上面と既存のフローリング床２０の上面に載せて新規のフローリング床材１１を施工し、その上で新規のフローリング床材を既存のフローリング床及び各パネル３、４、５に釘又は接着剤で固定する。
【００７１】
なお、本実施形態２に用いられた新規のフローリング床材１１には、従前と同様に雄実と雌実が形成されていて、釘打ちは従前の例と同一であるが、この雄実と雌実形態ではなく、フローリング床材１１の継ぎ目に段差を形成し、この段差部分を重ねるようにしてフローリング床材１１を敷き詰めて行くようにしても良い。また、両端に位置するフローリング床材１１には図１１、１２に示すように収容溝１２の無いタイプのものを用いることもできる。
【実施形態３】
【００７２】
本実施形態３は、リフォーム又は新設で温水式床暖房装置を施工する例であって、請求項９乃至１１に対応するもので、木質下地２２に実施形態２と同じようにカット部２３を形成して放熱ユニット１の各パネル３、４、５を落し込んで施工することにより、木質下地２２からの高さを１２ｍｍに抑えて行うリフォーム又は新設の実施形態である。
【００７３】
なお、前記した実施形態２において説明した既存のフローリング床２０を木質下地２２に云い換えた以外は、実施形態２と同一手順でリフォーム又は新設工事を行うことになる。
【００７４】
先ず、木質下地２２において、ヘッダーパネル３、Ｕターンパネル４、折り返しパネル５が位置する部位をカッターを用いてカットすることにより、カット部２３を形成する。新設の場合は空間としておく。
【００７５】
次にこのカット部２３に前記ヘッダーパネル３、Ｕターンパネル４、折り返しパネル５を落し込んで木質下地２２の面と各パネル３、４、５の上面を面一に固定する。この時木質下地２２の面に温水パイプ６の露出部分６ａが載るようなかたちとなって露出部分６ａの温水パイプ６が浮上することにより露出した部分の温水パイプ６と各パネル３、４、５の上面との間に段差を生じさせる。
【００７６】
次に、下面に配管溝１２を形成した新規のフローリング床材１１の前記配管溝１２を浮上した部分の温水パイプ６に合わせて上方から押し込むことにより温水パイプ６を配管溝１２内に収容し、併せて新規のフローリング床材１１を前記各パネル３、４、５の上面と木質下地２２の上面に載せて新規のフローリング床材１１を施工し、その上で新規のフローリング床材１１を木質下地２２及び各パネル３、４、５及びカット部２３に釘又は接着剤で固定する。
【００７７】
以上が既存の木質下地２２の上に温水式床暖房装置をリフォームで敷設する場合と、新設する場合の施工例である。
【産業上の利用分野】
【００７８】
本発明は、既存のフローリング床を温水式床暖房装置付のフローリング床にリフォームする場合、及び既存の木質下地の上に又は新設により温水式床暖房装置を施工する場合に適用できる。
【符号の説明】
【００７９】
１  放熱ユニット
２  ヘッダー
３  ヘッダーパネル
４  Ｕターンパネル
５  折り返しパネル
６  温水パイプ
７  フィン
８  固定テープ
９  放熱シート
１０  スリット
１１  新規のフローリング床材
１２  温水パイプ収容溝
２０  既存のフローリング床
２１  切り込み
２２  木質下地
２３  カット部
２４  ダミー合板
【図１】
0005452384.tif 000002
【図２】
0005452384.tif 000003
【図３】
0005452384.tif 000004
【図４】
0005452384.tif 000005
【図５】
0005452384.tif 000006
【図６】
0005452384.tif 000007
【図７】
0005452384.tif 000008
【図８】
0005452384.tif 000009
【図９】
0005452384.tif 000010
【図１０】
0005452384.tif 000011
【図１１】
0005452384.tif 000012
【図１２】
0005452384.tif 000013
【図１３】
0005452384.tif 000014
【図１４】
0005452384.tif 000015
【図１５】
0005452384.tif 000016
【図１６】
0005452384.tif 000017